(57)【要約】【課題】開封することなく、内容物の香りをチェック可能なパッケージを提供すること。【解決手段】本発明のパッケージ１は、例えば、パンティライナー２０等の複数の内容物２を内部に収納するパッケージ１であって、パッケージ１の外面に、香りを発生する香り発生部３０が設けられている。香り発生部３０が発生する香りと、内容物２の香りとは同じ香りであるので、購買者は購入前に内容物２の香りをチェックすることができる。また、香り発生部３０は、搬送時に表面が覆われる部分に設けられているので、搬送時に擦れて香りが発生する可能性が低い。【選択図】図３
2014118176.tif 000002
【特許請求の範囲】
【請求項１】
香りが付された使い捨ての衛生用品を内部に収納するパッケージであって、
パッケージの外面に、前記衛生用品の香りと同じ香りを発生する香り発生部が設けられていること、
を特徴とするパッケージ。
【請求項２】
前記香り発生部は、表面が擦られることにより香りを発生すること、
を特徴とする請求項１に記載のパッケージ。
【請求項３】
前記衛生用品と前記香り発生部とには、同じシンボルが付されていること、
を特徴とする請求項１又は２に記載のパッケージ。
【請求項４】
前記パッケージは、筒状体の外周面と、筒状体の開口端が封止された接着代を有する上面、下面からなり、前記香り発生部は前記パッケージの少なくとも上面または下面に設けられていること、
を特徴とする請求項１から３のいずれか１項に記載のパッケージ。
【発明の詳細な説明】
【技術分野】
【０００１】
本発明は、内部に複数の吸収性物品を収容するパッケージに関する。
【背景技術】
【０００２】
従来、パンティライナーや生理用ナプキン等の吸収性物品において、フローラル等の香り付けがされているものがある（例えば、特許文献１参照）。これらの吸収性物品は、複数個ごとにパッケージ内に密封されて販売されている。
【先行技術文献】
【特許文献】
【０００３】
【特許文献１】登録実用新案第３０１８８１３号公報
【発明の概要】
【発明が解決しようとする課題】
【０００４】
しかし、一般に、吸収性物品に付されている香りは、使用時に不快感を生じないように、微弱である。このため、パッケージの外側から、内部に収納されている吸収性物品の香りを嗅ぎ取りにくい。
【０００５】
本発明は、パッケージを開封することなく、内容物の香りをチェック可能なパッケージを提供することを目的とする。
【課題を解決するための手段】
【０００６】
本発明は、香りが付された使い捨ての衛生用品を内部に収納するパッケージであって、パッケージの外面に、前記衛生用品の香りと同じ香りを発生する香り発生部が設けられていること、を特徴とするパッケージに関する。
【０００７】
前記香り発生部は、表面が擦られることにより香りを発生することが好ましい。
【０００８】
前記衛生用品と前記香り発生部とには、同じシンボルが付されていることが好ましい。
【０００９】
前記パッケージは、筒状体の外周面と、筒状体の開口端が封止された接着代を有する上面、下面からなり、前記香り発生部は前記パッケージの少なくとも上面または下面に設けられていることが好ましい。
【発明の効果】
【００１０】
本発明によれば、パッケージを開封することなく、内容物の香りをチェック可能なパッケージを提供することができる。
【図面の簡単な説明】
【００１１】
【図１】本実施形態に係るパッケージの斜視図であり、接着代が立設した状態を示す。
【図２】パッケージの内容物を示す図であり、（ａ）は内容物を折り畳む前の状態、（ｂ）は内容物を折り畳んだ後の状態を示す。
【図３】実施形態に係るパッケージの斜視図であり、接着代が倒れた状態を示した図である。
【発明を実施するための形態】
【００１２】
以下、本発明の好ましい実施形態につき図面を参照しながら説明する。図１は実施形態に係るパッケージ１の斜視図である。図１においては、パッケージ１の一部が破断されて内容物２が見えるように示し、また、後述の接着代１１が立設した状態を示した図である。図２は、吸収性物品の一例としてパンティライナー２０が個別包装された内容物２を示す図であり、（ａ）は折り畳む前の状態、（ｂ）折り畳んだ後の状態を示す。図３は、実施形態に係るパッケージ１の斜視図であり、接着代１１が倒れた状態を示した図である。
【００１３】
本実施形態のパッケージ１は、図１に示すように、複数の内容物２を内部に備えて密封された袋体である。以下、図中矢印で示すように、後述のヒートシール３が延びる方向を左右方向、左右方向と直交し且つヒートシール３が形成されている面（上面５）に沿った方向を前後方向、左右方向及び前後方向と直交する方向を上下方向として実施形態の説明を行う。
【００１４】
本実施形態のパッケージ１は、四角の筒状体における、対向する左右の縁部を内側に折り込んで、ガゼット部（マチ）を形成し、その状態で前後の縁部を合わせて、縁部の端部から所定長さの部分を、ヒートシール３で接着することにより形成されたものである。
【００１５】
このようなガゼット状の袋体は、包装材料の単位面積当たりの包装内容積が大きく、店頭での陳列性、表示性に優れている。ただし、本発明のパッケージ１はガゼット状の袋に限定されるわけではない。
パッケージ１の材料は、ポリプロピレン、ポリエチレン、ポリエチレンテレフタレート等の一般的に使用されている公知のプラスチックフィルムであり、内部の香りが漏れにくい材料である。
【００１６】
パッケージ１は、ヒートシール３で接着された上面５及び下面６と、筒状体の外周面からなる、前面７及び後面８と、右面９及び左面１０とを有する。
上面５及び下面６は、上述のように、筒状体の前後の縁部を合わせて、縁部の端部から所定長さの部分をヒートシール３で接着されている。この際、縁部の端部からヒートシール３までの余剰部分、すなわち接着代１１が形成される（上面５のみ図示）。
【００１７】
上面５の接着代１１は、図３に示すように予め前側に倒れるように形成されている。また、接着代１１の長さｍ（図中で示すように、上面５に沿った状態での前後方向の長さ）は、上面５の前半分の長さｎの１／３以上を覆うことのできる長さである（ｎ／３＜ｍ）。
【００１８】
また、上面５には、左右方向に延びるミシン目１５ａが形成されている。ミシン目１５ａは、間に接着代１１を挟んで平行に２本形成されている。その２本のミシン目１５ａの中央部を結ぶようにして、上面５の前後方向に延びるミシン目１５ｂが形成されている。その前後方向に延びるミシン目１５ｂは、接着代１１上も延びている。
【００１９】
接着代１１における、このミシン目１５ｂを挟んだ２箇所をつまんで、左右に引っ張ることにより、ミシン目１５ｂ、及びそれに次いでミシン目１５ａが破れて、パッケージ１の内容物２を取り出すことが可能となる。
なお、ミシン目１５は本実施形態において直線状に設けたが、これに限定されず、例えば、上面５の中央部を接点として互いに逆向きに設けられたＵ字等の曲線であっても良い。
【００２０】
パッケージ１の内容物２は、パンティライナー２０が個別包装されたものである。ただし、これに限定されず、オムツ、ナプキン、マスク、掃除用シート等の他の使い捨ての衛生用品であってもよい。
【００２１】
パンティライナー２０は、少なくとも１枚の不織布で形成された液保持シートと裏面シートとを備えるものである。パンティライナー２０は、図２（ａ）に示すように個別包装用の包装紙２１に重ねられ、図２（ｂ）に示すように全体が３つ重ね状態（これに限定されず、例えば２つ重ね状態であってもよい）に折り畳まれ、個別包装される。折り畳まれた状態で、包装紙２１の幅方向端部２３は貼り合わされて（ｂ）の状態で保持されている。
【００２２】
本実施形態では、この内容物２（パンティライナー２０）には、香り付けがされている。香りの種類は複数あり、１つのパッケージ１には、同じ香り付けがなされた内容物２が収納される。香りとしては、例えば、ローズやリリーが調和する甘いフローラルの「ローズの香り」、ラズベリーの香りとともに、優雅で気品あふれるブルガリアローズが香る「イランイランの香り」、さわやかなシトラスフルーツと清楚ですっきりとしたすずらんをベースに、ハーブのエッセンスが香る「グリーンの香り」等である。また、パンティライナー２０の表面又は包装紙２１に香りを連想させる絵（本実施形態ではバラの絵）が描かれている。なお、付されているものは「絵」である必要はなく、写真、マーク等の他のシンボルであってもよい。
【００２３】
これらの香りは、パンティライナー２０の装着中に不快感を生じないように、ほのかな香りである。したがって、図１のようにパッケージ１内に収納されて密封されると、外部から香りを嗅ぐことが困難となる。しかし、購買者は、内部に収納されているパンティライナー２０が、どのような香りなのかを購買前に確かめたい場合がある。
【００２４】
そこで本実施形態は、図１のように、上面５の、接着代１１によって覆われている部分に香り付け発生部３０が設けられている。香り付け発生部３０は、例えば香り印刷によって形成される。香り印刷は、芳香カプセルを含む芳香インクを印刷するものであり、芳香インクが印刷された香り発生部３０をこすると、芳香カプセルが破れて香りが発生する。本実施形態において印刷される芳香インクの香りの種類は、内部に収納されているパンティライナー２０と同じ香りである。
【００２５】
香り発生部３０は、上述のように、図１のように接着代１１を故意に起立させない限り、図３に示すように接着代１１によって覆われる部分である。したがって、店等において陳列されている際に、香り発生部３０が気付かれない可能性がある。このため、本実施形態では、接着代１１が倒れた状態でも、香り発生部３０に気付くように、目印３１が示されている。
【００２６】
目印３１の位置は、香り発生部３０の近傍の、接着代１１が上面５に沿って寝ている状態でも、接着代１１によって覆われない位置である。さらに、パッケージ１が陳列される際に見やすい位置、例えばパッケージ１の前面７に設けられる。
目印としては、図示するように、購買者の動作を示唆する「こすってね！」という文字や、香り発生部３０の位置を示す矢印等である。ただしこれに限定されず、香りを示す花の絵等であっても良い。
【００２７】
購買者は、パッケージ１が店頭に陳列されている際（図３に示す状態）、正面を見たときに「こすってね！」という文字にひきつけられ、接着代１１の矢印で示される位置をめくる。そうすると、図１に示すように「ローズの絵」が付された香り発生部３０に気付き、その部分を擦る。
香り発生部３０は擦られると、香りを発生する。この香りはパッケージ１の内部に収納されているパンティライナー２０と同じ香りである。
したがって、購買者は、購入前にパッケージ内部に収納された内容物２の香りを検証することができ、安心して購入することができる。
【００２８】
以上、本実施形態によると、以下の効果を有する。
（１）香りが付されている内容物２を収容するパッケージ１において、パッケージ１自体の外面に香りが付されている。したがって、購買前に内容物２の香りをチェックすることができ、安心して商品選択をすることができる。
（２）香りが付されている香り発生部３０は、常に香りを発するのではなく、購買者がその部分を擦る等の動作を行うことにより香りを発するので、商品陳列時にさまざまな香りが混合して不快感を生じることがない。
（３）香りが付されている部分は、通常、接着代１１によって覆われているので、搬送時等において他のパッケージ１と擦れて、不要なときに香りが発生することがない。
なお、接着代１１が反対側に倒れる可能性もある。しかし、その場合であっても、パッケージ１の上に別のパッケージが積み重ねられたとき、上面５は、上に重ねられたパッケージの下面との間に接着代１１が介在することになる。したがって、面と面との間に何も介在せずに積み重ねられた場合よりも、面同士の擦れが少ない。ゆえに、香り発生部３０が擦れて香りが発生する可能性が小さい。
（４）陳列された状態で正面となる部分（パッケージ１の前面７）に、香り印刷の存在、印刷位置、香りを生じさせるための動作を示す表示が印刷されているので、消費者は香り印刷を認知しやすい。
（５）接着代１１は、予め上面５（又は下面６）に沿って前側に倒れるように形成されている。
これに対して、例えば、接着代１１が前側に倒れておらず、上面５から上側に立設している場合、搬送時に積み重ねられる際に、前側に倒れるか後ろ側に倒れるかが定まらない。したがって、ヒートシール３の前面７側に印刷された香り発生部３０を覆うことができない可能性がある。
しかし、本実施形態では、予め前側に寝るようになっているので、確実に香り発生部３０を覆うことが出来る。
（６）接着代１１の長さｍは、上面５の前半分の長さｎの１／３以上を覆うことのできる長さであるので、上面５に印刷された香り発生部３０を十分に覆うことができる。
（７）また、内容物２の香りを嗅ぐのにパッケージ１を開封する必要がないため、衛生的である。
【００２９】
なお、本実施形態では、接着代１１で隠れる位置に香り印刷を行う例ついて説明したが、これに限定されず、例えば図３に示すように、上面５におけるガゼット状の袋を形成する際に上面５の左右に生じる袋状の部分に香り印刷を行っても良い。
【符号の説明】
【００３０】
１…パッケージ
２…内容物
３…ヒートシール
５…上面
７…前面
１１…接着代
１５…ミシン目
２０…パンティライナー
２１…包装紙
３０…香り発生部
３１…目印
【図１】
2014118176.tif 000003
【図２】
2014118176.tif 000004
【図３】
2014118176.tif 000005